(57)【特許請求の範囲】
【請求項１】
給水ポンプにより供給された給水をタービンからの排ガスで加熱する蒸発器と、前記蒸発器からの流体を汽水に分離する汽水分離器タンクと、前記汽水分離器タンクからの蒸気を前記排ガスで過熱する過熱器と、を備え、前記汽水分離器タンクの水位を制御する水位制御機能部と、前記汽水分離器タンクの出口蒸気の過熱度を制御する過熱度制御機能部と、を有する貫流式排熱回収ボイラであって、
前記貫流式排熱回収ボイラの起動過程で、前記水位制御機能部による水位制御状態から前記過熱度制御機能部による過熱度制御状態に制御切替を行うための移行期間において給水流量を調整する制御切替操作機能部を設け、
前記制御切替操作機能部による給水流量調整指令値は、前記水位制御機能部による水位制御の切り替え時の給水流量指令値に対して所定の給水流量減少分が付加されるものであり、
前記水位制御機能部による水位制御状態から前記制御切替操作機能部による前記所定の給水流量減少分が付加された制御切替操作状態に切り替える許可条件は、前記汽水分離器タンク又は前記過熱器からの蒸気流量が所定量に達したという条件であり、
さらに、前記汽水分離器タンクの出口温度が（飽和温度＋規定値）を超えたときに、前記制御切替操作機能部による給水流量調整指令値を、前記過熱度制御機能部による給水流量指令値に切り替え、
前記制御切替操作機能部には、アナログメモリとマイナス値を発生させるアナログ信号発生器を設け、
前記アナログメモリには、前記水位制御機能部による水位制御の切り替え時の給水流量指令値を保持させ、前記アナログ信号発生器は前記所定の給水流量減少分を発生させる
ことを特徴とする貫流式排熱回収ボイラ。
【発明の詳細な説明】
【技術分野】
【０００１】
本発明は、貫流式排熱回収ボイラにおける過熱度制御の制御方法及び装置に係わり、特に、プラント起動過程の汽水分離器ドレンタンクの水位制御から過熱度制御への移行を連続且つ安定に行うために、好適な貫流式排熱回収ボイラの水位制御と過熱度制御の切り替え方法及び装置に関する。
【背景技術】
【０００２】
排熱回収ボイラは、従来、自然循環式と貫流式とが知られていて、自然循環式排熱回収ボイラの概要について、図５と図６を用いてまず説明する。図５は、例えば特許文献１に示されるような従来技術におけるボイラ水の自然循環式排熱回収ボイラの構成を示すブロック図である。図６は従来技術の自然循環式排熱回収ボイラにおけるドラム水位制御の制御ブロック図である。
【０００３】
図５において、自然循環式排熱回収ボイラは、給水ポンプ６９より供給された給水が節炭器７０を通り、蒸気ドラム７１、蒸発器７２へ供給される。その後、ボイラ水は蒸気ドラム７１と蒸発器７２で自然循環し、蒸気ドラム７１で分離された蒸気は過熱器７３へ送られ、過熱された蒸気は蒸気タービン７４へ送給されるように構成される。また、過熱器７３、蒸発器７２及び節炭器７０に対して、ガスタービン７５からの排ガスを送給して、蒸気を過熱、ボイラ水を蒸発、給水を加熱するように構成されている。
【０００４】
次に、従来技術の自然循環式排熱回収ボイラにおけるドラム水位制御について、図６を用いて説明する。蒸気ドラム７１に設置したドラム水位発信器７７によって検出されるドラム水位測定値とドラム規定水位７９の差を求め、減算器８０より水位制御偏差を出力する。この減算器８０から出力された水位制御偏差は比例積分微分調節器８１で比例・積分・微分処理を行い、処理された水位制御偏差は加算器８２において、蒸気流量計７８で検出された主蒸気流量を加えて減算器８３に出力する。
【０００５】
加算器８２において、水位制御偏差をなくすために必要な給水流量値を出力し、この給水流量値と、給水流量計７６より検出される給水流量測定値との差を減算器８３で求め、流量制御偏差を出力する。そして、出力された流量制御偏差は比例積分調節器８４で比例積分処理された後、制御指令として給水流量調節弁８５に入力される。
【０００６】
このように、自然循環式排熱回収ボイラでは、蒸発器の安定な流動を保つためにドラムの水位を一定に保つ必要がある。ドラムの水位とは蒸発量と給水量の差であり、蒸発量はガスタービン７５からの入熱によって決まるため、ドラム水位を一定に保つように給水流量を調整する（すなわち、入熱量によって決まる蒸気タービンに送り出された蒸気量を、給水量により補給する制御である）。自然循環式排熱回収ボイラの起動過程では上述した水位制御が行われている。
【特許文献１】特開２０００−１４６１０８号公報
【発明の開示】
【発明が解決しようとする課題】
【０００７】
上述した従来の自然循環式排熱回収ボイラの起動過程では、蒸気ドラムの水位制御のみが行われている。しかしながら、本発明が対象としている貫流式排熱回収ボイラにおいては、その起動過程で従来の給水量による汽水分離器ドレンタンクの水位制御を行い（図４を参照）、その後、貫流運転すなわち蒸発器出口過熱度制御を行うものである。
【０００８】
そこで、本発明は、貫流式排熱回収ボイラの起動過程において、従来技術の水位制御から、従来の自然循環式排熱回収ボイラの制御方式には存在しない蒸発器出口の過熱度制御へ切り替わる際に、水位制御から過熱度制御への切り替えが滑らかに且つ短時間に移行できるようにする貫流式排熱回収ボイラを提供することにある。
【課題を解決するための手段】
【０００９】
前記課題を解決するために、本発明は次のような構成を採用する。  
給水ポンプにより供給された給水をタービンからの排ガスで加熱する蒸発器と、前記蒸発器からの流体を汽水に分離する汽水分離器タンクと、前記汽水分離器タンクからの蒸気を前記排ガスで過熱する過熱器と、を備え、前記汽水分離器タンクの水位を制御する水位制御機能部と、前記汽水分離器タンクの出口蒸気の過熱度を制御する過熱度制御機能部と、を有する貫流式排熱回収ボイラであって、
前記貫流式排熱回収ボイラの起動過程で、前記水位制御機能部による水位制御状態から前記過熱度制御機能部による過熱度制御状態に制御切替を行うための移行期間において給水流量を調整する制御切替操作機能部を設け、
前記制御切替操作機能部による給水流量調整指令値は、前記水位制御機能部による水位制御の切り替え時の給水流量指令値に対して所定の給水流量減少分が付加されるものであり、
前記水位制御機能部による水位制御状態から前記制御切替操作機能部による前記所定の給水流量減少分が付加された制御切替操作状態に切り替える許可条件は、前記汽水分離器タンク又は前記過熱器からの蒸気流量が所定量に達したという条件であり、
さらに、前記汽水分離器タンクの出口温度が（飽和温度＋規定値）を超えたときに、前記制御切替操作機能部による給水流量調整指令値を、前記過熱度制御機能部による給水流量指令値に切り替え、
前記制御切替操作機能部には、アナログメモリとマイナス値を発生させるアナログ信号発生器を設け、
前記アナログメモリには、前記水位制御機能部による水位制御の切り替え時の給水流量指令値を保持させ、前記アナログ信号発生器は前記所定の給水流量減少分を発生させる構成とする。
【発明の効果】
【００１１】
本発明によれば、貫流式排熱回収ボイラの起動過程において、汽水分離器ドレンタンクの水位制御から過熱度制御への移行に際して制御切替操作期間を設け、この制御切替操作期間内において給水量を一時的に減少させる操作により水位を低下させ、蒸発器出口を強制的に乾き状態とすることで、過熱度制御にスムースに移行することができる。
【発明を実施するための最良の形態】
【００１２】
本発明の実施形態に係る貫流式排熱回収ボイラの水位制御と過熱度制御の切替装置及び方法について、図１、図２、図３及び図４を参照しながら以下説明する。図１は本発明の実施形態に係る貫流式排熱回収ボイラにおける汽水分離器ドレンタンクの水位制御と過熱度制御の切替方法を説明する図である。図２は本実施形態に係る貫流式排熱回収ボイラにおける汽水分離器ドレンタンクの水位制御機能部と過熱度制御機能部と制御切替操作機能部における制御ブロックを示す図である。図３は図２に示す制御ブロックに用いられるアナログスイッチと変化率制限器の動作条件を表す図である。図４は本実施形態に係る貫流式排熱回収ボイラの構成を示すブロック図である。
【００１３】
まず、図４において、本実施形態に係る貫流式排熱回収ボイラの概要構成を説明する。本実施形態に係る貫流式排熱回収ボイラは、給水ポンプ６１より供給された給水が節炭器６２を通り、蒸発器６３へ供給される。ガスタービン６８からの排ガスの熱量によって蒸発器６３で水と蒸気の混合体が生成され汽水分離器ドレンタンク６４に加えられる。汽水分離器ドレンタンク６４からは蒸気が過熱器６５へ送られ、過熱された蒸気は蒸気タービン６６へ送給されるように構成される。ここで、貫流式排熱回収ボイラが貫流運転中でないときには、図４に示す点線経路の再循環ライン６７が形成されて、汽水分離器ドレンタンク６４で分離された飽和水が蒸発器６３の入口へ循環する。
【００１４】
図２において、本実施形態に係る貫流式排熱回収ボイラは、制御系統として、水位制御機能部２３と、過熱度制御機能部３８と、水位制御から過熱度制御に切り替える制御を行う制御切替操作機能部４８と、給水流量調節弁５８とを備えている。水位制御機能部２３は、従来の水位制御を示す図６と基本的に同様であり、汽水分離器水位設定器１２と水位設定バイアス１３との加算値が変化率制限器１６を通って、検知された汽水分離器水位１９と比較されて減算器２０で減算され水位偏差となる。この水位偏差が比例積分微分調節器２１を経た後に、検知された蒸気流量１８と加算器２２で加算されて水位制御時の給水流量指令値４９となり、アナログスイッチＴ１（５２）に信号ｂとして印加される。
【００１５】
過熱度制御機能部３８は、汽水分離器ドレンタンク出口圧力計２９で検知した圧力に基づいて関数発生器３０において飽和蒸気温度として出力し、この飽和蒸気温度と過熱度設定値３１とを加算器３２で加算する。この加算値がアナログスイッチ３３、変化率制限器３４を経て、汽水分離器ドレンタンク出口蒸気温度計３６による蒸気温度と減算器３５で比較され、過熱度偏差として比例積分微分調節器２８から出力される。一方、排ガスの熱量を表すガスタービン（ＧＴ）負荷（燃焼量）２４を基にして過熱度制御時の給水流量先行値２５が演算され一次遅れ要素２６を経た値として、加算器３７の一方に入力される。加算器３７の他方の入力は過熱度偏差である。加算器３７からの出力は、過熱度制御時の給水流量指令値５１となり、アナログスイッチＴ２（４７）に信号ｂとして印加される。上述した過熱度制御機能部３８は、従来公知の構成を採用すればよい。
【００１６】
本実施形態では、汽水分離器ドレンタンクを設けた貫流式排熱回収ボイラにおける水位制御から過熱度制御への移行に際して、図２に示す制御切替操作機能部４８を設けることを構成上の特徴とするものである。制御切替操作機能部４８は、後述するが、図１（４）に示す水位制御７と過熱制御９とを結ぶ制御切替操作８において、制御切替操作時における給水流量指令値５０を出力して、アナログスイッチＴ２（４７）に信号ａとして印加するための構成である。制御切替操作機能部４８の機能の詳細は図１の説明で述べる。
【００１７】
図３において、図３（１）は、水位制御機能部２３に設けられたアナログスイッチＴ３と、過熱度制御機能部３８に設けられたアナログスイッチＴ４と、制御切替操作機能部４８に設けられたＴ２、Ｔ５、Ｔ６と、検知された給水流量５５と比較される対象の給水流量指令値の経路に設けられたアナログスイッチＴ１とが、図示する切替条件で切替記号を選択することを表示５９する図である。図３（２）は、変化率制限器Ｖが動作して変化率制限の有効時を表示６０する図である。
【００１８】
次に、本発明の実施形態に係る貫流式排熱回収ボイラの起動過程における動作について、図１を参照しながら以下説明する。本実施形態では、図４に示すようにガスタービン（ＧＴ）からの排ガスの熱量を利用して過熱蒸気を発生させるものである。この際、ボイラ起動過程ではガスタービンからのＧＴ負荷（排ガス熱量）は、漸増する特性をもっているものであり、ガスタービン以外の他の燃焼装置のようにボイラへの出力がステップ状に急増する特性をもつものではないことを前提としている。
【００１９】
図１の（１）と（４）において、本実施形態に係る貫流式排熱回収ボイラの起動過程において、制御状態６として最初に水位制御７が行われ、次に制御切替操作８が実施されて続いて過熱度制御９が実施されることになる。汽水分離器ドレンタンクの水位３は、まず水位制御７されて図１（１）に示すように制御される。水位制御から過熱度制御に切り替えるための切り替え開始許可条件１（蒸気流量、水質条件などのプラント条件）、即ちドレンタンク又は過熱器から定格蒸気流量の例えば２０％を超える蒸気が得られるという条件、及び例えば缶水の不純成分濃度が所定値以下に達するという条件が満たされたことが判定されると（この判定は図２に示す構成とは別の構成で判定される）、アナログスイッチＴ１の切り替えによって水位制御７から制御切替操作８に制御状態が自動的に移行する。
【００２０】
図１の（３）において、給水流量５が各制御状態７，８，９に対応して変化する態様が示され、水位制御７の期間ではほぼ一定の給水流量が保たれる。切り替え開始許可条件１が成立すると、水位制御７のときの給水流量５に対して一定割合の給水流量減少分が加えられて制御切替操作８の期間では給水流量は図示のように給水流量減少分だけ減少し、タンクの水位は低下する（図１の（１）参照）。そうすると、蒸発器６３出口が乾き始め、過熱度制御の条件が整えられるようになる。ここで、排ガスによるＧＴ負荷は上述したように漸増する傾向を保持しているので、図１の（３）に示す一定割合給水流量減少分によって、蒸発器出口の乾きで過熱度制御条件が整う期間である制御切替操作期間を短くすることができる。
【００２１】
図１の（２）において、汽水分離器ドレンタンクの出口温度４をみると、水位制御７のときは飽和温度以下であり、制御切替操作８の終盤においてタンク水位の低下で飽和温度１１を超える出口温度が検出される。この出口温度が（飽和温度１１＋既定値α）を超えると過熱度制御の開始条件２（図１の（１）参照）が成立したと判定して、アナログスイッチＴ２の切り替えによって制御切替操作８から過熱度制御９に移行し、これ以後は過熱度設定値１０に追従するように出口温度４がＧＴ負荷２４に対応する給水流量によって図示のように変化することとなる。
【００２２】
図１（５）〜（７）を説明すると、図２に示す制御・操作機能部２３，３８，４８の中で信号をトラッキングさせる機能を有しているものは、水位制御機能部２３では比例積分微分調節器２１、制御切替操作機能部４８ではアナログメモリ４５、過熱度制御機能部３８では比例積分微分調節器２８であり、図１（４）に示す制御状態６は、図で説明するように、比例積分微分調節器２１は水位制御を行い、アナログメモリ４５は制御切替操作を行い、比例積分微分調節器２８は過熱度制御を行う。これらの制御・操作以外のときには、それぞれの給水流量指令信号４９，５０，５１の動きの応じてトラッキングしている（実際には、アナログスイッチＴ１とＴ２のスイッチ切り替えで給水流量調節弁５８に入力されることはない）。
【００２３】
次に、図２を参照しながら、本実施形態の関する汽水分離器ドレンタンクの水位制御と過熱度制御の制御切替操作機能部の動作について説明する。図２の中で制御切替操作機能部４８が水位制御と過熱度制御の切替操作を行う構成である。汽水分離器ドレンタンク水位制御運転中、図１（１）に示した蒸発量・水質条件等の制御切替開始許可条件１を満たすことを別構成で判定すると自動的（アナログスイッチＴ１（５２）の入力をｂからａに切り替える。アナログスイッチＴ２も同様）に制御移行操作を開始する。
【００２４】
制御切替操作８が開始すると、アナログスイッチＴ６（４１）ではアナログ信号発生器３９より出力された信号（切替開始時点でバランスする給水流量５の一定の割合（例．１０〜３０％）のマイナス値）を選択し、アナログスイッチＴ５（４２）においても同様にアナログ信号発生器３９にて出力された信号ａを選択する（０ｔ／ｈを発生するアナログ信号発生器４３からの信号ｂは非選択）。アナログ信号発生器３９によって出力された信号ａは変化率制限器４４に入力され、図３の（２）に示す変化率制限器動作条件表６０より制御切替操作期間中は変化率に制限がかかる。この変化率制限器４４の機能は、図３（２）の最上段の行に記載されている。なお、図２の制御切替操作機能部４８のアナログ信号発生器４０のプラス値というのは、貫流式排熱回収ボイラを貫流式から循環式に移行させて、貫流式排熱回収ボイラを停止させるときに給水流量を増加するときに使用するためのものである。
【００２５】
変化率制限器４４によって制限された出力信号は加算器４６において、アナログメモリ４５で制御切替操作中保持されている給水流量値（アナログメモリ４５には水位制御７から制御切替操作８に移行する直前の水位制御時給水流量指令値４９を切替操作期間中保持）と、排ガスの熱量を表すＧＴ負荷（燃焼量）２４から求まる過熱度制御時給水流量先行値２５（一次遅れ２６を含んだ値）が加算され、制御切替操作時の給水流量指令値５０が出力される。アナログメモリ４５に保持される給水流量値は切り替え開始許可条件１が成立したときの給水流量値としてもよい。
【００２６】
図３（１）に示すアナログスイッチ条件表５９より制御切替操作期間中は、アナログスイッチ４７（Ｔ２）と５２（Ｔ１）では入力信号ａが選択される。アナログスイッチ５２にて選択された信号ａは上下限制限器５３で制限され、減算器５４で検出された給水流量５５との給水制御偏差を出力し、比例積分調節器５６で比例積分の処理を行った後に、自動／手動切替器５７を通過し制御指令として給水流量調節弁５８に入力される。
【００２７】
制御切替操作８の期間中、図１（１）に示す過熱度制御開始条件２を満たすと過熱度制御を開始することとなる。その際、制御切替操作８の期間において、切り替え開始許可条件１の切替開始時点でバランスする給水流量５の一定の割合（例えば、１０〜３０％）の流量８７を強制的にゆっくりと減少させることで（図１（３）の給水流量の特性を参照）、図１（１）に示す汽水分離器ドレンタンク水位３は徐々に低下し蒸発器出口が乾き始め、過熱度制御開始条件２である、汽水分離器ドレンタンク出口蒸気温度＞（飽和温度＋規定値α）の条件を満たすと、自動的に過熱度制御９に切り替える。ここで、上記の条件２を満たすことの判定は、この判定のための構成は不図示であるが、出口蒸気温度の検出値と、出口圧力計による圧力を基に演算する飽和蒸気温度と、設定した規定値αとに基づいて行うことができる。このように、過熱度制御開始条件２を満たした時点での測定値を出発点とし、変化率制限器３４によって変化率制限８６（例えば、２〜５℃／分程度）を受けながら、目標設定値１０まで上昇させる（図１の（２）参照）。
【００２８】
汽水分離器ドレンタンク出口圧力計２９より検出した測定値を関数発生器３０に入力して飽和蒸気温度を算出し、加算器３２においてこの飽和蒸気温度と過熱度設定値３１とを加算する。アナログスイッチ３３（Ｔ４）では図３（１）に示すアナログスイッチ条件表５９より過熱度制御時に信号ａが選択されるため、図３（２）に示す変化率制限器動作条件表６０より過熱度制御時に制限が有効になる変化率制限器３４にて変化率が制限されて（図３（２）に示す表の３行目参照、図１（２）の変化率制限８６参照）、減算器３５に入力される。
【００２９】
減算器３５において、汽水分離器ドレンタンク出口温度計３６の計測値と、飽和蒸気温度及び過熱度設定値による過熱蒸気温度値と、を減算して蒸気温度制御偏差を出力する。出力された蒸気温度制御偏差は比例積分微分調節器２８にて制御ゲイン補正２７を用いて比例・積分・微分処理される。加算器３７において、ガスタービンからの排ガス熱量を表すＧＴ負荷（燃料量）２４より決まる過熱度制御時給水流量先行値２５（一次遅れ２６を含んだもの）と、比例積分微分調節器２８からの制御偏差値とが加算されて、過熱度制御時の給水流量指令値５１が出力される。
【００３０】
図３（１）に示すアナログスイッチ条件表５９よりアナログスイッチ４７（Ｔ２）では過熱度制御時には信号ｂが選択され、アナログスイッチ５２（Ｔ１）では過熱度制御時に信号ａが選択される。なお、これらのアナログスイッチ４７，５２の選択は、図１（１）に示す過熱度制御開始条件２が成立したことを判定したときに自動的に選択される。この自動的選択は、切り替え開始許可条件１が成立したことを判定したときも同様に動作する。
【００３１】
過熱度制御時給水流量指令値５１は、アナログスイッチ４７，５２を経て給水流量上下限制限器５３にて上下限を制限され、減算器５４で給水流量測定値５５との給水流量偏差を出力し、比例積分調節器５６で比例積分処置され制御指令として給水流量調節弁５８に入力される。
【００３２】
以上説明したように、本発明の実施形態に係る貫流式排熱回収ボイラの主たる特徴は、汽水分離器ドレンタンク水位制御から過熱度制御への移行を連続的に且つ円滑に行うために、汽水分離器ドレンタンク水位制御運転から過熱度制御運転への移行時に制御切替操作期間を設けて、この期間で給水量を一時的に減少させる操作により水位を低下させ、蒸発器出口を強制的に乾き状態とし、汽水分離器ドレンタンク出口蒸気温度が（飽和温度＋規定値α）の状態になった後、過熱度制御に切り替える操作を行う。この際、制御切替操作への移行を滑らかに且つ短時間で行えるようにするために、汽水分離器ドレンタンク水位制御による給水流量の指令信号を制御切替操作によって操作されている指令信号にトラッキングさせるようにする。具体的には、制御切替操作機能部４８に設けたアナログメモリ４５に切り替え直前の給水流量値を保持させて、この保持値を元にして給水流量減少分も加味して制御切替操作を行う。ここで、規定値αの値は例示として１〜１０℃程度とするが、計測上、汽水分離器ドレンタンク出口蒸気温度が明らかに飽和状態とは区別でき、過熱状態として検知できる温度であれば良い。
【００３３】
このようにして、制御切替操作期間内で給水量を一時的に減少させる操作により、汽水分離器ドレンタンク水位は低下し、蒸発器出口を強制的に乾き状態とし汽水分離器ドレンタンク出口蒸気温度が飽和温度＋規定値αの状態を超えた後、過熱度制御を開始することによって水位制御と過熱度制御の切り替えがスムースに行われる。また、本実施形態では、従来の自然循環式排熱回収ボイラの給水による水位制御を蒸発器出口の過熱度制御に置き換えたものとも考えられることから、従来の自然循環式排熱回収ボイラの制御調整に熟練した試運転員の知見が貫流式排熱回収ボイラにおいても容易に適応させることができる。
【図面の簡単な説明】
【００３４】
【図１】本発明の実施形態に係る貫流式排熱回収ボイラにおける汽水分離器ドレンタンクの水位制御と過熱度制御の切替方法を説明する図である。
【図２】本実施形態に係る貫流式排熱回収ボイラにおける汽水分離器ドレンタンクの水位制御機能部と過熱度制御機能部と制御切替操作機能部における制御ブロックを示す図である。
【図３】図２に示す制御ブロックに用いられるアナログスイッチと変化率制限器の動作条件を表す図である。
【図４】本実施形態に係る貫流式排熱回収ボイラの構成を示すブロック図である。
【図５】従来技術におけるボイラ水の自然循環式排熱回収ボイラの構成を示すブロック図である。
【図６】従来技術の自然循環式排熱回収ボイラにおけるドラム水位制御の制御ブロック図である。
【符号の説明】
【００３５】
１：水位制御→過熱度制御切替開始許可条件、２：過熱度制御開始条件、３：汽水分離器ドレンタンク水位、４：汽水分離器ドレンタンク温度、５：給水流量、６：制御状態、７：水位制御、８：制御切替期間、９：過熱度制御、１０：過熱度目標設定値、１１：飽和温度、１２：汽水分離器水位設定器、１３：水位設定バイアス、１４：加算器、１５：アナログスイッチ、１６：変化率制限器、１７：制御ゲイン補正、１８：蒸気流量、１９：汽水分離器水位、
２０：減算器、２１：比例積分微分調節器、２２：加算器、２３：水位制御機能、２４：ＧＴ負荷（燃料量）、２５：過熱度制御時給水流量先行値、２６：一次遅れ、２７：制御ゲイン補正、２８：比例積分微分調節器、２９：汽水分離器出口圧力計、３０：関数発生器、３１：過熱度設定値、３２：加算器、３３：アナログスイッチ、３４：変化率制限器、３５：減算器、３６：汽水分離器ドレンタンク出口蒸気温度計、３７：加算器、３８：過熱度制御機能、３９：アナログ信号発生器、４０：アナログ信号発生器、４１：アナログスイッチ、４２：アナログスイッチ、４３：アナログ信号発生器、４４：変化率制限器、４５：アナログメモリ、４６：加算器、４７：アナログスイッチ、４８：切替操作機能、
４９：水位制御時給水流量指令値、５０：切替操作時給水流量指令値、５１：過熱度制御時給水流量指令値、５２：アナログスイッチ、５３：上下限制限器、５４：減算器、５５：給水流量、５６：比例積分調節器、５７：自動／手動切替器、５８：給水流量調節弁、５９：アナログスイッチ切替条件表、６０：変化率制限器有効条件表、６１：給水ポンプ、６２：節炭器、６３：蒸発器、６４：汽水分離器ドレンタンク、６５：過熱器、６６：蒸気タービン、
６７：再循環ライン、６８：ガスタービン、６９：給水ポンプ、７０：節炭器、７１：蒸気ドラム、７２：蒸発器、７３：過熱器、７４：蒸気タービン、７５：ガスタービン、７６：給水流量計、７７：ドラム水位発信器、７８：蒸気流量計、７９：規定水位、８０：減算器、８１：比例積分微分調節器、８２：加算器、８３：減算器、８４：比例積分器、８５：給水流量調節弁、８６：変化率制限、８７：一定の割合の給水流量減少分、
【図１】
0005221971.tif 000002
【図２】
0005221971.tif 000003
【図３】
0005221971.tif 000004
【図４】
0005221971.tif 000005
【図５】
0005221971.tif 000006
【図６】
0005221971.tif 000007